(57)【要約】【課題】  ケーブル挿通孔を大きく形成しなくても、運搬する際の軽量化を図ることができ、更に地面のケーブルの立ち上げ位置に自由度を持たせたキュービクル基台を提供する。【解決手段】  中央に高圧ケーブルを挿通するケーブル挿通孔２が縦に貫設され、このケーブル挿通孔２を境とする２つのブロック体１０ａ，１０ｂを連結して形成されている。双方のブロック体１０ａ，１０ｂには連結するための連結孔４を連通形成し、両端にネジ溝を切った棒体５を挿通して、ナットによりネジ止めして連結した。各ブロック体１０ａ，１０ｂ上面には吊りボルト取り付け用のネジ孔３を４隅に設け、ケーブル挿通孔２は上部開口部を小さく、下方に拡開して下部開口部を大きく形成した。【選択図】  図１
2005143275.tif 000002
【特許請求の範囲】
【請求項１】
キュービクルを設置するためのコンクリート製基台であって、少なくとも２つのブロック体を連結手段により連結して形成され、高圧ケーブルの下入線を可能とするケーブル導入部を備えたことを特徴とするキュービクル基台。
【請求項２】
ケーブル導入部は、縦に貫通形成されて下方が拡開されて成るケーブル挿通孔である請求項１記載のキュービクル基台。
【請求項３】
ケーブル挿通孔は、連結されるブロック体の境界に形成されて成る請求項２記載のキュービクル基台。
【請求項４】
底面の少なくともケーブル導入部周囲に高圧ケーブルを配設可能な隙間が形成されるよう脚部を有し、前記脚部がブロック体で形成され、基台の本体下部に分離可能に取り付けられて成る請求項１乃至３の何れかに記載のキュービクル基台。
【請求項５】
ブロック体に、吊りボルトを装着可能なネジ孔が穿設されて成る請求項１乃至４の何れかに記載のキュービクル基台。
【請求項６】
連結手段が、少なくとも両端に雄ねじを形成した棒体と、前記雄ねじに螺着するナットとから成り、ブロック体には前記棒体を挿通する連結孔が、連結するブロック体同士で連通するように貫設されてなる請求項１乃至５の何れかに記載のキュービクル基台。
【発明の詳細な説明】
【技術分野】
【０００１】
本発明は、受電設備を収容するキュービクルを設置する際に、地面に配置してキュービクルを載置固定するためのキュービクル基台に関する。
【背景技術】
【０００２】
受電設備を収容する箱、所謂キュービクルを設置する場合、設置する地面にキュービクルを載置し固定するための基台が配置される。従来、この基台はキュービクル設置場所にキュービクルの底面形状に合わせた型枠を作製し、そこにコンクリートを流し込んで作製し、その基台上にボルト止め等してキュービクルを設置固定していた。
一方、受電設備は、工場や工事現場等において、全ての電気設備に電力を供給するための基幹を成す設備であるため、スピーディーな設置が要求されている。ところが、上述するようにキュービクルを設置するための基台はキュービクル設置現場で作製されるし、コンクリートを流し込むため、工期に時間が掛かりキュービクル設置の工期短縮の障害となっていた。そのため基台作製の工期短縮が望まれていた。
そのようなことから、例えば特許文献１に開示されているように、キュービクル基台として既製のコンクリート製基礎主体を使用し、予め工場等で基台を作製しておき、キュービクルを設置する際にクレーン等を用いて運搬し設置することで、キュービクル施工期間を短縮する工法が提案された。
【０００３】
【特許文献１】特開平８−１３５１３号公報
【発明の開示】
【発明が解決しようとする課題】
【０００４】
上記特許文献１に示す工法の場合、基台を予め作製しておくことで、大幅な工期の短縮が可能となる。しかし、ここで使用される基台は基本的に枠体であり、大きな開口部を有しているため、強度を維持するために高さを大きくする必要があった。そのために、設置面を深く根切り作業をしなければならないし、基台設置後、内部に土砂を入れて突き固めたり、モルタル層を形成する作業等が必要であった。但し、キュービクル内への高圧ケーブルの引き込みは下入線が一般的であるため、基台には大なり小なり開口部は必要である。
また、使用を終了したキュービクルの処分を考えた場合、可能な限りリサイクルできるのが望ましいが、上記形状の基台は再利用が難しかった。
【０００５】
そこで、予め作製しておいた基台を設置する工法において、上述するような面倒な工事を無くす為に、開口部を最小限の大きさとし、ケーブルを挿通可能な挿通孔のみ設けてブロック形状に形成して厚みを抑えれば、設置作業を簡単にでき工期を短縮できる。更には再利用も可能となる。この場合、比較的小型のキュービクルの場合、基台をブロック状に作製しても運搬可能な重量に抑えることができるため、このような基台が有効に利用できると考えられるが、大きなキュービクル基台となると重量が嵩むため、運搬が難しくなる問題があった。
また、高圧ケーブルをキュービクルへ引き込むために地面に形成されたケーブル立ち上げ位置は、所定位置に精度良く施工するのが難しくまちまちであるため、予め作製した基台のケーブル挿通の為の開口部が小さいと、基台のケーブル挿通孔と地面の高圧ケーブルの立ち上げ位置が合わない場合は、地面のケーブル立ち上げ位置を変更する必要が生ずる。ところが、高圧ケーブルは地中埋設やスラブ立ち上げで施工されているため、立ち上げ位置の変更が難しい。
このようなことから、開口部を小さくして、基台設置前後の作業も簡易化できる基台を予め作製しておく方法を採用するのは難しかった。
【０００６】
そこで、本発明はこのような問題点に鑑み、ケーブル挿通孔を大きく形成しなくても、運搬する際の軽量化を図ることができ、更に地面のケーブルの立ち上げ位置に自由度を持たせたキュービクル基台を提供することを目的とする。
【課題を解決するための手段】
【０００７】
上記課題を解決する為に、請求項１に記載の発明は、キュービクルを設置するためのコンクリート製基台であって、少なくとも２つのブロック体を連結手段により連結して形成され、高圧ケーブルの下入線を可能とするケーブル導入部を備えたことを特徴とする。
この構成により、キュービクル基台は少なくとも２つのブロック体で構成されるので、基台を開口部を小さくしてブロック状に形成しても、運搬する際は分解して軽量化を図ることができる。また、基台をブロック状に形成することで堅牢にでき、基台設置作業も簡易にできる。
【０００８】
請求項２の発明は請求項１に記載の発明において、ケーブル導入部は、縦に貫通形成されて下方が拡開されて成るケーブル挿通孔であることを特徴とする。
この構成により、ケーブル挿通孔の下方は広いので高圧ケーブルの立ち上げ位置がずれていても挿通操作が容易となるし、高圧ケーブルを曲げて挿通する際に曲げ部のストレスを軽減でき、無理なく挿通できる。
【０００９】
請求項３の発明は、請求項２に記載の発明において、ケーブル挿通孔は、連結されるブロック体の境界に形成されて成ることを特徴とする。
この構成により、ケーブル挿通孔は、ブロック体の端部に切り欠き状に形成され、ブロック体に貫通孔を設けることがなくなり、更に堅牢に作製できる。
【００１０】
請求項４の発明は、請求項１乃至３の何れかに記載の発明において、底面の少なくともケーブル導入部周囲に高圧ケーブルを配設可能な隙間が形成されるよう脚部を有し、前記脚部がブロック体で形成され、基台の本体下部に分離可能に取り付けられて成ることを特徴とする。
この構成によれば、基台下部で高圧ケーブルを引き回すことができるので、地面に設けたケーブル立ち上げ位置が基台下になくても、或いは設計位置と異なっても、容易に基台のケーブル導入部に配設して下入線を実施でき、予め作製された基台を無理なく使用できる。
【００１１】
請求項５の発明は、請求項１乃至４の何れかに記載の発明において、ブロック体に、吊りボルトを装着可能なネジ孔が穿設されて成ることを特徴とする。
この構成によれば、吊りボルトを簡易に取り付けでき、クレーンによる運搬が容易であるし、吊りボルトを外せば、上面を平坦にでき、ブロック体を積み重ねできる。また、ネジ孔を載置するキュービクルを固定するアンカーボルト取り付け孔として使用することも可能で、そうすれば、別途アンカーボルト用の孔を打設する必要が無くなる。
【００１２】
請求項６の発明は、請求項１乃至５の何れかに記載の発明において、連結手段が、少なくとも両端に雄ねじを形成した棒体と、前記雄ねじに螺着するナットとから成り、ブロック体には前記棒体を挿通する連結孔が、連結するブロック体同士で連通するように貫設されてなることを特徴とする。
この発明によれば、ブロック体同士を特別な連結手段を用いることなく簡易な部材で堅牢に連結できる。
【発明の効果】
【００１３】
このように、ケーブル導入部をである開口部を大きく形成せずに基台全体をブロック状に形成しても、分割可能とすることで、運搬の際に軽量化できるし、簡易な作業で設置できる。また、ケーブル導入部の下方を広く、更には底面に高圧ケーブルを配設可能な隙間を有するので、地面のケーブルの立ち上げ位置に自由度を持たせることができ、キュービクル基台を予め作製しておいても有効に使用できる。
【発明を実施するための最良の形態】
【００１４】
以下、本発明を具体化した実施の形態を、図面に基づいて詳細に説明する。図１は本発明に係るキュービクル基台の第１の実施形態を示す斜視図であり、図１に示すように、基台１は略立方体形状（ブロック状）に形成され、略中央に高圧ケーブルの下入線を可能とするケーブル挿通孔２が縦に貫設されている。そして、基台１は、コンクリート製の第１のブロック体１０ａと第２のブロック体１０ｂの２つのブロック体１０を連結して形成され、３はネジ孔を示している。
【００１５】
第１及び第２のブロック体１０ａ，１０ｂは、ケーブル挿通孔２を境に基台１を左右に２分割するよう形成され、ケーブル挿通孔２は夫々のブロック体１０ａ，１０ｂの側部に切り欠き状に形成されている。また、双方を連結するために、連結孔４が左右方向に連通するよう形成され、内部に連結手段としての金属製の棒体５が挿通されている。この連結孔４は、前後２ヶ所に平行に設けられている。
【００１６】
棒体５は、図２の基台の要部正面図に示すように、基台１の幅より僅かに長く形成され、両端にネジ溝５ａが切られ、連結手段としてのナット６を図示しないワッシャ等を介して螺着して、２つのブロック体１０ａ，１０ｂを連結している。また、基台１側面となる連結孔４端部には、すり鉢状の凹部７が形成され棒体５に取り付けたナット６が没入して基台側面から突出しないように形成されている。尚、図１では、棒体５が突出しているが、基台１の幅より僅かに短くして、完全に連結手段が突出しないよう構成することもでき、そうすれば外観も良好となる。
更に、双方のブロック体１０ａ，１０ｂの当接面には、図３のブロック体斜視説明図に示すように、双方の位置合わせを容易にするための係合部が形成されている。第１のブロック体１０ａの連結孔４位置となるケーブル押通孔２前後の２ヶ所には、係合凸部８ａが形成され、第２のブロック体１０ｂの対応する前後２ヶ所に係合凹部８ｂが形成されて係合部を構成し、ブロック体１０連結操作の際、容易に位置合わせできるようになっている。また、この係合部により、連結後はずれることがない。
【００１７】
ネジ孔３は、各ブロック体１０の４隅に穿設され、図４の基台１端部の拡大図に示すように、金属製の埋め込み型雌ねじ筒（通称、「インサート」と称する）１１を埋設して形成され、吊りボルト１２を取り付け可能となっている。このように、ネジ孔３は堅牢に形成されているため、載置したキュービクルを固定するアンカーボルトの取り付け孔としても良好に使用でき、別途アンカーボルト取り付け用の孔を打設する必要がない。
また、ケーブル挿通孔２は、上端開口部２ａが長方形状に形成され、高圧ケーブルを挿通するのに必要且つ十分な大きさで形成されている。そして、下方に向けて拡開され、下面の開口部２ｂは略正方形で大きく形成され、内部側面は傾斜形成されている。
【００１８】
このように、キュービクル基台はブロック体を組み合わせて形成されるので、開口部を小さくブロック状に基台を作製しても、運搬する際は分解して軽量化を図ることができる。また、ケーブル挿通孔の下方は広いので、高圧ケーブルの立ち上げ位置がずれていても挿通操作が容易となるし、高圧ケーブルを曲げて挿通する際に曲げ部のストレスを軽減でき、無理なく挿通できる。
更に、ケーブル挿通孔は、ブロック体において端部に切り欠き状に形成されるので、ブロック体に貫通孔等を設けることなく堅牢に作製できる。
【００１９】
次に、図１に示す基台の設置手順を説明する。図５は基台１を設置した状態を示す縦断面説明図であり、この図を基に説明する。まず、キュービクル設置面である基台設置面１４を所定量（例えば、１０ｃｍ）掘り下げて転圧し整地する。そして、基台１を基台設置面１４に密着させる為に、例えばインスタントセメント１６を一様に敷設する。その後、ブロック体１０をクレーン等で吊り上げて、設置面１４に設けられているケーブル立ち上げ位置を確認しながら所定位置に順次下ろす。この時、立ち上げられた高圧ケーブル１５をケーブル挿通孔２に挿入操作する。更に、下ろす際に、ブロック体１０が互いに密着するよう位置合わせする。下ろしたら、連結孔４に棒体５を挿入して連結操作する。後は、掘り下げた周囲の土を戻すなり、アスファルトで周囲を固める等すれば良く、インスタントセメント１６の作用により基台１は地面に密着して固定される。
【００２０】
このように、基台を開口部を小さくブロック状に形成することで、例えば枠状に形成した大口径の開口部を有する基台に比べて薄くでき、地面を大きく掘り下げることなく設置できる。従って、設置作業の簡易化を図ることができる。更に、ケーブル挿通孔は小さいので、設置後にモルタル等で穴埋めをする必要がなく、設置コストも削減できる。その結果、使用を終了した基台の取り外しも容易であり、再使用が可能となる。
また、夫々のブロック体に吊りボルトを容易に取り付けできるので、クレーンによる運搬が容易であるし、吊りボルトを外せば、上面を平坦にでき、積み重ねでき、保管や運搬の際のスペースが僅かで済む。また、棒体とナットにより連結するので、ブロック体同士は専用の連結手段を使用すること無く簡易な部材で堅牢に連結できる。
尚、図１では、高圧ケーブルを挿通するケーブル挿通孔２のみ設けているが、低圧ケーブルも基台を通して出線する場合は、ケーブル挿通孔２に隣接させてブロック体１０の連結部に第２の挿通孔を設ければ良いし、ケーブル挿通孔２を共用しても良い。
【００２１】
図６は、本発明のキュービクル基台の第２の実施形態を示す概略斜視図である。上記図１の形態との主な相違点は、基台１を４つのブロック体１０，・・１０から形成している点であり、図１と同様の構成要素には同一の符号を付与してある。ケーブル挿通孔２は基台中央に設けられ、開口部は円形に形成されて下方に拡開されている。また、各ブロック体１０は、基台中央に設けたケーブル挿通孔２を境に分割して形成され、ネジ孔３は各ブロック体１０に４個づつ設けられている。更に、連結孔４は各ブロック体１０の左右方向に加えて前後方にも形成されている。左右方向の連結孔４は基台１中央付近の高さに前後２ヶ所づつ形成され、前後方向の連結孔４は、左右方向の連結孔４を挟むように上下に２ヶ所ずつ形成され、この各連結孔４に棒体が夫々挿通されて連結される。
【００２２】
このように、基台の分割数を増やせば、１つのブロック体当たりの重量を軽減できる。また、大きなキュービクルであっても、分割数を増やすことで運搬でき、基台を予め作製しておくことが可能となる。
また、上記実施形態と同様に、ケーブル挿通孔の下方は広いので高圧ケーブルの挿通操作が容易となるし、ケーブル挿通孔はブロック体において端部に切り欠き状に形成されるので、各ブロック体を堅牢に作製できる。そして、基台設置作業の簡易化を図ることができ、再使用も可能となる。
尚、図６の形態でも、第１の実施形態と同様に、ブロック体の各連結面には係合凸部及び係合凹部を設けるのが好ましいし、連結孔の端部には凹部を形成すると良い。また、大きな基台の場合、更に分割数を増やすこともできる。
【００２３】
図７は、本発明の第３の実施形態を示す基台斜視図であり、基台に分離可能な脚部２０を設けて、底部に隙間を設けた構成となっている。尚、上記図１と同様の構成要素には同一の符号を付与し、説明を省略する。
ブロック体１０として形成された脚部２０は、四角柱形状に形成され、立方体形状の基台本体１ａの左右下部に前後方向に平行に配置されている。そして、前後２ヶ所に基台本体１ａに連通する連結孔４が設けられ、棒体５を挿通して連結されている。但し、この脚部２０は高圧ケーブルを基台下部に引き回すことが可能な高さを有して形成され、脚部２０を連結することで、ケーブル挿通孔２の下部周囲には広いケーブル引き回し空間が形成される。
【００２４】
このように、脚部を設けることで、下入線する高圧ケーブルを基台下部で引き回すことが可能となり、ケーブル挿通孔の位置に対して地面のケーブル立ち上げ位置が大きくずれていても、容易にケーブル挿通孔に高圧ケーブルを入線できる。また、脚部をブロック体として形成し、３つのブロック体で基台を構成することで、下部隙間が必要無いときは脚部を取り外して本体のみで基台を構成することもでき、ケーブル挿通孔を小さく形成した既製の基台を効果的に活用でき、便利である。
尚、図７では基台本体を一つのブロック体としているが、図１或いは図６に示すように分割して、複数のブロック体で形成することもできる。
【００２５】
図８に示す斜視図は、本発明のキュービクル基台の他の形態を示している。図８では、基台１は２つのブロック体１０，１０を連結して形成され、ケーブル導入部は孔ではなく、基台１側部に切り欠き状に設けたケーブル導入路２１として形成されいる。ケーブル導入路２１は上部が高圧ケーブルをキュービクル内に導入するのに必要且つ十分な大きさで形成され、下部は拡大されて大きく切り欠かれている。尚、上記図１と同様の構成要素には同一に符号を付与し、説明を省略する。
このように、ケーブル導入部は基台内に設けた孔でなくとも良く、側部に設けることで、高圧ケーブルの下入線作業が容易にできるし、基台設置後に高圧ケーブルを配設することも可能となり、施工手順を大幅に緩和することが可能となる。
そして、上記第１実施形態と同様に、ケーブル導入路の下方は広いので高圧ケーブルの挿通操作が容易となるし、ケーブル導入路はブロック体において端部に切り欠き状に形成されるので、各ブロック体を堅牢に作製できる。そして、基台設置作業の簡易化を図ることができ、再使用も可能となる。
尚、ケーブル導入路２１は、ブロック体の連結部に双方に跨るように形成されているが、一方のブロック体に一括形成しても良い。
【００２６】
図９に示す斜視図は、本発明のキュービクル基台の更に他の形態を示している。図９では、ブロック体１０同士を連結する連結手段に棒体等を使用せず、枠部材で周囲を囲んで連結した構成を示している。尚、上記図１と同様の構成要素には同一に符号を付与し、説明を省略する。
基台１は、中央にケーブル挿通孔２を有し、このケーブル挿通孔２を境に分割した４つのブロック体１０，・・１０で形成されている。各ブロック体１０は、互いに密着した状態で上部周囲に上部枠体２２ａを、下部周囲に下部枠体２２ｂを嵌着するための嵌着溝２３が夫々形成されるよう構成されている。枠体２２（２２ａ，２２ｂ）は、基台１の形状に合わせて四角形に形成され、嵌着溝２３に嵌着させることで、各ブロック体は連結される。この枠体２２は、ステンレス鋼板を折り曲げて形成され、連結操作は、まず基台設置位置に下部枠体２２ｂを配置し、次にブロック体１０を順次その下部枠体内に配置して行き、最後に上部枠体２２ａで密着配置したブロック体１０周囲に嵌着すれば良い。
このように、枠体により基台周囲を縛るように各ブロック体を連結するので堅牢に密着できるし、各ブロック体には連結孔を設ける必要がなく、ブロック体が作製し易い。
【００２７】
尚、上記図９の形態は、枠体２２でブロック体１０を連結しているが、ワイヤ等で束縛して連結しても良い。また、上記実施の形態は、何れもケーブル導入部は１つであるが、ケーブル挿通孔２或いはケーブル導入路２１は各ブロック体に設けて、１つの基台当たり複数のケーブル導入路を向けても良い。
【図面の簡単な説明】
【００２８】
【図１】本発明に係るキュービクル基台の第１の実施形態を示す斜視図である。
【図２】図１の要部正面図である。
【図３】ブロック体の斜視説明図である。
【図４】図１の基台端部を拡大した部分拡大図である。
【図５】図１の基台を設置した様子を示す縦断面説明図である。
【図６】本発明の第２の実施形態を示すキュービクル基台の概略斜視図である。
【図７】本発明の第３の実施形態を示すキュービクル基台の斜視図である。
【図８】本発明の他の形態を示すキュービクル基台の斜視図である。
【図９】本発明の他の形態を示すキュービクル基台の斜視図である。
【符号の説明】
【００２９】
１・・基台（キュービクル基台）、２・・ケーブル導入部としてのケーブル挿通孔、３・・ネジ孔、４・・連結孔、５・・連結手段としての棒体、６・・連結手段としてのナット、１０・・ブロック体、１２・・吊りボルト、１５・・高圧ケーブル、２０・・脚部、２１・・ケーブル導入部としてのケーブル導入路、２２・・連結手段としての枠体。
【図１】
2005143275.tif 000003
【図２】
2005143275.tif 000004
【図３】
2005143275.tif 000005
【図４】
2005143275.tif 000006
【図５】
2005143275.tif 000007
【図６】
2005143275.tif 000008
【図７】
2005143275.tif 000009
【図８】
2005143275.tif 000010
【図９】
2005143275.tif 000011